(57)【要約】【課題】耐熱性に優れ、使用量を低減出来る熱媒体組成物、熱交換方法および太陽熱発電装置を提供すること。【解決手段】本発明の熱媒体組成物は、少なくとも２種類以上の多環芳香族化合物からなる熱媒体組成物であって、ビフェニル及びナフタレンを合計で８０質量％以上含み、凝固点は６０℃以下であることを特徴とする。【選択図】なし【特許請求の範囲】
【請求項１】
少なくとも２種類以上の多環芳香族化合物からなる熱媒体組成物であって、
ビフェニル及びナフタレンを合計で８０質量％以上含み、凝固点が６０℃以下であることを特徴とする熱媒体組成物。
【請求項２】
ジフェニルエーテルの含有量が１０質量％以下であることを特徴とする請求項１に記載の熱媒体組成物。
【請求項３】
ビフェニルのナフタレンに対する質量比が０．６０〜４．０であることを特徴とする請求項１または２に記載の熱媒体組成物。
【請求項４】
前記多環芳香族化合物は、炭素数が１０〜１６であることを特徴とする請求項１〜３のいずれか一つに記載の熱媒体組成物。
【請求項５】
太陽熱発電に使用されることを特徴とする請求項１〜４のいずれか一つに記載の熱媒体組成物。
【請求項６】
少なくとも第１の熱媒体と、第２の熱媒体とを有し、前記第１の熱媒体と前記第２の熱媒体との間で熱交換を行う熱交換システムであって、
前記第１の熱媒体として、請求項１〜５のいずれか一つに記載の熱媒体組成物を、４００℃以上の温度条件下で、気相が１０体積％以下で使用することを特徴とする熱交換システム。
【請求項７】
請求項６に記載の熱交換システムを備えることを特徴とする太陽熱発電装置。
【発明の詳細な説明】
【技術分野】
【０００１】
本発明は、熱媒体組成物、熱交換システム、および太陽熱発電装置に関するものである。
【背景技術】
【０００２】
熱媒体は、高温発熱反応の除熱用や蓄熱体、太陽熱発電などの用途において広く使用され、常温から高温の広い温度領域で安定性があることが望まれている。このような熱媒体として、従来、芳香族炭化水素系熱媒体組成物、例えばビフェニルおよびジフェニルオキサイド（ジフェニルエーテル）を含む熱媒体組成物が開示されている（例えば、特許文献１参照）。
【０００３】
また、高温での安定性に優れる熱媒体として、ジフェニルオキサイド（ジフェニルエーテル）にジフェニレンオキサイドを加えた組成物が提案されている（例えば、特許文献２参照）。特許文献２では、該組成物に使用されるジフェニレンオキサイドの安定化作用は、ジフェニルエーテルにジフェニルまたはナフタレン等を加えた共融混合物にも適用できることが記載されている。
【０００４】
さらに、ジフェニルエーテルおよびベンゾフェノンに、ジベンゾフラン（ジフェニレンオキサイド）およびナフタレンからなる群から選択される少なくとも１成分を所定の割合で混合した熱媒体組成物が開示されている（例えば、特許文献３参照）。特許文献３では、該熱媒体組成物に、さらにビフェニルを配合できることが開示されている。
【０００５】
また、フェニル基を２〜５個有するアリール化合物の混合物からなる熱媒体、例えば、ビフェニル、ジフェニルオキサイド（ジフェニルエーテル）、ｏ−ターフェニル、およびｍ−ターフェニル、またはビフェニル、ナフタレン、ｏ−ターフェニル、およびｍ−ターフェニル等の四成分混合物が、凝固点降下により低温でのポンプ搬送性に優れることが開示されている（例えば、特許文献４参照）。
【０００６】
また、ビフェニル、ジフェニルエーテルおよびジフェニレンオキサイドからなる熱媒体組成物が、耐熱性に優れるとともに、凝固点降下により取り扱い性も容易である旨開示されている（例えば、特許文献５参照）。
【０００７】
さらにまた、高沸点成分と低融点成分を含む熱伝達流体を用いた熱伝達システムにおいて、熱伝達流体を加熱する際に、熱伝達流体から低融点成分を蒸発等により除去し、熱伝熱流体による熱交換後に低融点成分を再び熱伝達流体に戻すシステムが提案されている（例えば、特許文献６参照）。特許文献６では、高沸点成分としてビフェニル等が例示され、低融点成分としてナフタレン及びビフェニル等が例示されている。
【先行技術文献】
【特許文献】
【０００８】
【特許文献１】米国特許第１８８２８０９号明細書
【特許文献２】米国特許第１８７４２５８号明細書
【特許文献３】米国特許第Ｈ１３９３号公報
【特許文献４】特開平０１−２６１４９０号公報
【特許文献５】特開平０５−００９４６５号公報
【特許文献６】米国特許公開２０１１０１４６９５９号明細書
【発明の概要】
【発明が解決しようとする課題】
【０００９】
近年、太陽熱発電等の用途で、発電効率向上のため、従来使用温度１００〜４００℃より高温領域で使用可能な熱媒油の開発ニーズがより高まっているが、特許文献１〜５に記載の芳香族化合物を主成分とする熱媒体組成物は、４００℃未満では十分な耐熱性を示すものの、４００℃以上の温度での使用を目的としたものではなく、実際、４００℃付近で使用した場合、熱安定性が十分でないため、より高温領域における熱媒体組成物としての使用は困難であった。また、特許文献６に記載の熱伝達流体は、５００℃まで熱的に安定と記載されているが、４００℃以上での熱安定性のデータは何ら示されていないものである。
【００１０】
さらに太陽熱発電では夜間においても発電できるよう、蓄熱槽を有するものが用いられているが、従来使用されている熱媒体組成物は比熱が低いため、一定の熱容量を蓄熱するために多量の熱媒体組成物が使用されていた。
【００１１】
本発明は、上記に鑑みてなされたものであって、４００℃以上の高温での耐熱性に優れるとともに、比熱が大きいため熱媒体組成物の使用量を低減できる熱媒体組成物、熱交換システム、および太陽熱発電装置を提供することを目的とする。
【課題を解決するための手段】
【００１２】
本発明者らは、２種類以上の多環芳香族化合物からなる熱媒体組成物において、ビフェニルおよびナフタレンを８０質量％以上含み、凝固点が６０℃以下である熱媒体油組成物が、４００℃以上でも熱安定性に優れると共に、比熱も高いため熱媒体使用量を低減できることを見出し、本発明を完成するに至った。
【００１３】
すなわち本発明の熱媒体組成物は、少なくとも２種類以上の多環芳香族化合物からなる熱媒体組成物であって、ビフェニル及びナフタレンを合計で８０質量％以上含み、凝固点は６０℃以下であることを特徴とする。
【００１４】
また、本発明の熱媒体組成物は、上記発明において、ジフェニルエーテルの含有量が１０質量％以下であることを特徴とする。
【００１５】
また、本発明の熱媒体組成物は、上記発明において、ビフェニルのナフタレンに対する質量比が０．６０〜４．０であることを特徴とする。
【００１６】
また、本発明の熱媒体組成物は、上記発明において、前記多環芳香族化合物は、炭素数が１０〜１６であることを特徴とする。
【００１７】
また、本発明の熱媒体組成物は、上記発明において、太陽熱発電に使用されることを特徴とする。
【００１８】
また、本発明の熱交換システムは、少なくとも第１の熱媒体と、第２の熱媒体とを有し、前記第１の熱媒体と前記第２の熱媒体との間で熱交換を行う熱交換システムであって、前記第１の熱媒体として、上記のいずれか一つに記載の熱媒体組成物を、４００℃以上の温度条件下で、気相が１０体積％以下で使用することを特徴とする。
【００１９】
また、本発明の太陽熱発電装置は、上記に記載の熱交換システムを備えることを特徴とする。
【発明の効果】
【００２０】
本発明の熱媒体組成物、熱交換方法および太陽熱発電装置は、４００℃以上の高温下でも熱媒体組成物が熱安定性を損なうことがないため、長期間の連続使用が可能である。また、本発明の熱媒体組成物は比熱が高いため、これまでより熱媒体使用量を低減することが出来る。このように有機系熱媒体では最高の耐熱温度を示し、比熱が高いことから高温発熱反応の除熱用や蓄熱体、太陽熱発電熱媒体などに好適に使用することができる。
【発明を実施するための形態】
【００２１】
以下に本発明の好適な実施の形態について詳細に説明する。なお、下記で説明する実施の形態により本発明が限定されるものではない。
【００２２】
本発明の熱媒体組成物は、少なくとも２種類以上の多環芳香族化合物からなる熱媒体組成物であって、ビフェニル及びナフタレンを合計で８０質量％以上含み、凝固点は６０℃以下であることを特徴とする。
【００２３】
本発明者らは、ビフェニルおよびナフタレンを８０質量％以上含み、凝固点が６０℃以下である、少なくとも２種類以上の多環芳香族化合物からなる熱媒体組成物が、高温、例えば４００℃以上の温度においても熱安定性に優れるとともに、比熱が高いため、熱媒体組成物の使用量を低減でき、さらに若干の加圧により４００℃以上の温度条件下においても液相状態を保つことができるため、使用の際の負担を軽減できることを見出し、本発明を完成するに至った。
【００２４】
本発明の熱媒体組成物は、ビフェニルおよびナフタレンを合計で８０質量％、好ましくはくは９５質量％以上、より好ましくは９８質量％以上含む。ビフェニルおよびナフタレンの含有量が８０質量％より少ないと、耐熱性が低下したり、熱媒体使用量が増加したりする。
【００２５】
本発明の熱媒体組成物において、製造法には特に制限はないが、ビフェニルは、一般にパラジウム触媒によりベンゼンを原料として製造される。ベンゼンを用いてビフェニルを製造する場合、ビフェニルに副生するトリフェニル（ターフェニル）、クォーターフェニル、ポリフェニル等が微量含まれても差し支えない。
【００２６】
ナフタレンは、コールタールなどに含まれ、蒸留により得ることができる。ナフタレンには、メチルナフタレン、ジメチルナフタレン等が微量含まれても差し支えない。
【００２７】
本発明の熱媒体組成物において、ビフェニルのナフタレンに対する質量比は０．６０〜４．０であってよく、好ましくは０．６〜３．０、さらに好ましくは０．８〜２．５であってよい。ビフェニルのナフタレンに対する質量比が０．６０以下の場合や、４．０以上の場合は凝固点が高くなる。
【００２８】
本発明の熱媒体組成物の凝固点は６０℃以下であり、好ましくは５０℃以下である。凝固点が６０℃より大きくなると、熱媒体としての使用の際、または輸送時において、温度管理のための大掛かりな設備が必要となったり、運転管理の負担も増大するおそれがある。
【００２９】
本発明の熱媒体組成物の凝固点は、密閉型容器に熱媒体組成物を投入し、温度調整可能な装置で５時間静置して測定した。
【００３０】
本発明の熱媒体組成物は、ジフェニルエーテルの含有量が１０質量％以下であることが好ましく、５質量％以下であることがさらに好ましい。本発明の熱媒体組成物において、ジフェニルエーテルの含有量が１０質量％を超えると、熱媒体組成物を４００℃以上の温度で連続使用した場合、分解フェノールが発生し、金属腐食が誘発される可能性がある。
【００３１】
本発明の熱媒体組成物は、炭素数が１０〜１６である多環芳香族化合物からなることが好ましい。本発明の熱媒体組成物において、ビフェニル及びナフタレンを合計で８０質量％以上含めば、本発明の熱媒体組成物に含まれるその他の多環芳香族化合物の炭素数は限定されるものではないが、炭素数が１０〜１６である多環芳香族化合物であることが好ましい。多環芳香族化合物の炭素数が１０未満であると、蒸気圧が高くなる傾向があり、１６を超えると粘度が高くなるため扱い難い傾向がある。
【００３２】
炭素数が１０〜１６である多環芳香族化合物としては、例えば、アントラセン、フェナントレン、ピレン、フルオレン、アセナフテン、ジフェニルメタン、ジフェニルエタン、ベンゾフェノン、ジフェニレンオキサイド、ジベンゾチオフェン、カルバゾール等のほか、炭素数が１０〜１６であれば、メチルナフタレン、ジメチルナフタレン、メチルフェナントレン等の置換基を有する多環芳香族化合物であってもよい。
【００３３】
本発明の熱媒体組成物は、４００℃以上の高温下で熱安定性を損なうことなく、連続使用が可能である。熱媒体組成物の耐熱性は、例えば４２５℃の熱安定性試験で評価することができる。熱媒体組成物の熱安定性試験は、熱媒体組成物を密閉可能な容器内に投入し、容器内を窒素で封入して容器内圧力を７ＭＰａ（室温）に調整した後、熱媒体組成物を投入した容器を４２５℃で９６時間保持する。熱媒体組成物の耐熱性は、熱媒体組成物の分解率で評価した。
【００３４】
本発明の熱媒体組成物において、熱安定性試験による分解率は、０．７％以下であることが好ましく、より好ましくは０．５％以下である。熱媒体組成物の分解率は、ガスクロマトグラフィー質量分析で測定することができる。以下の方法により測定した分解率により、熱安定性試験後に生成した液体成分の割合を評価することができる。分析条件の一例を以下に示す。
装置：ＨＰ−６８９０
カラム：Ｊ＆Ｗ  ＤＢ−１（３０ｍ×０．２５ｍｍφ）
キャリアガス：ヘリウム
注入量：０．２μＬ
分解率は以下の式により求めた。
分解率（％）＝（試験後に発生したピーク面積の総和）／（全ピーク面積の総和）×１００
【００３５】
本発明の熱媒体組成物を、蓄熱槽を有する太陽熱発電装置で使用する場合、熱媒体組成物の比熱が高いことが好ましい。熱媒体組成物の比熱が高ければ、より少ない量で蓄熱槽での熱交換が可能となる。
【００３６】
本発明の熱媒体組成物の比熱は、蓄熱槽を模した熱交換試験により評価することができる。例えば、熱媒体組成物を密閉可能な２００ｍＬの容器内（材質ＳＵＳ３１６、質量２０００ｇ）に投入し、容器内を窒素で封入して容器内圧力を７ＭＰａ（室温）に調整した後に、４２５℃へ加熱し、２００℃に保持した３００ｇの溶融塩に容器ごと浸漬させ、溶融塩が３００℃に達するために要した熱媒体組成物量から評価することができる。本発明の熱媒体組成物において、上記熱交換試験における熱媒体組成物の使用量は、１３０ｇ以下であることが好ましく、より好ましくは１２５ｇ以下である。
【００３７】
本発明の熱媒体組成物は、凝固点以上の温度範囲で気相含有量は１０体積％以下であり、好ましくは８体積％以下、より好ましくは７体積％以下である。気相含有量が１０体積％を超えると本発明の熱媒体組成物を熱交換システムに用いた場合、熱伝達効率、輸送効率等が低下する可能性が有り好ましくない。本発明の熱媒体組成物は使用温度の上昇に伴い蒸気圧が高まるが、加圧条件下で使用することにより気相含有量を１０体積％以下とすることができる。  
【００３８】
本発明の熱媒体組成物は、少なくとも第１の熱媒体と、第２の熱媒体とを有し、前記第１の熱媒体と前記第２の熱媒体との間で熱交換を行う熱交換システムに使用することができる。本発明の熱媒体組成物は、前記第１の熱媒体として、４００℃以上の温度条件下で、気相が１０体積％以下で使用することが好ましい。
【００３９】
また、本発明の熱媒体組成物は、有機系熱媒体としては最高の耐熱温度を示すことから高温発熱反応の除熱用や蓄熱体、太陽熱発電、例えば集光式の太陽熱発電用の熱媒体などに有用である。特に、前記熱交換システムを備える太陽熱発電装置、例えば、太陽光を集光して熱媒体を加熱する集光集熱部と、前記熱媒体が集熱した熱を伝達する熱伝達部と、前記熱媒体が集熱した熱により発電を行う発電部と、を備える太陽熱発電装置における熱媒体として使用でき、前記集光集熱部、前記熱伝達部、および／または前記発電部において、４００℃以上の温度条件下で、気相が１０体積％以下で使用することが好ましい。
【００４０】
さらに、本発明の熱媒体組成物は、蓄熱部を備える太陽熱発電装置で好適に使用することができる。本発明の熱媒体組成物は、前記太陽熱発電装置の前記集光集熱部、前記熱伝達部、前記発電部、および／または前記蓄熱部において、４００℃以上の温度条件下で、気相が１０体積％以下で使用することが好ましい。なお、本発明の熱媒体組成物の沸点は２２０〜３００℃程度であるので、沸点以上の高温で使用する場合は加圧して使用すればよい。
【００４１】
本発明の熱媒体組成物は雰囲気温度が凝固点以下となる環境では、固体状態となるが、保管、輸送等の各工程で、固体状態で使用してもよく、必要に応じて保温して液体状態として使用してもよい。
【００４２】
本発明の熱媒体組成物は、高温発熱反応の除熱用や蓄熱体、太陽熱発電等の用途で、該熱媒体組成物が凝固するような箇所では必要に応じ簡単な保温を施すことにより、運転管理の負担を増大することなく、使用することができる。例えば、熱交換設備においてパイプライン中の熱媒体組成物が夜間の運転休止中に外気冷却され凝固する場合は、必要に応じてヒーター加熱等により温度を保つことができる。
【実施例】
【００４３】
以下に実施例により本発明の実施態様を例示するが、本発明はそれらの実施例に限定されるものではない。
【００４４】
以下の実施例および比較例において、以下の化合物および商品を使用した。
ビフェニル（ＢＰ、東京化成工業社製  純度９９．５％品）
ナフタレン（ＮＡ、東京化成工業社製  純度９８％品）
ジフェニルエーテル（ＤＰＯ、東京化成工業社製  純度９９％品）
ＮｅｏＳＫ−１４００（ＮＥＯ、綜研テクニックス社製）
バーレルサーム４００（バーレル、松村石油社製）
ジフェニルエタン（ＤＰＥ、ＪＸ日鉱日石エネルギー社製）
ジフェニレンオキサイド（ＤＰＮＯ、東京化成工業社製  純度９７％品）
ｏ−トリフェニル（ｏ−ＴＥＲ、東京化成工業社製  純度９９％品）
ｍ−トリフェニル（ｍ−ＴＥＲ、東京化成工業社製  純度９８％品）
【００４５】
（実施例１）
ビフェニルを７１．０質量％、ナフタレンを２９．０質量％となるように配合して熱媒体組成物１を調製した（ビフェニルとナフタレンの合計配合量１００．０質量％）。内径１４ｍｍ、幅６５ｍｍ、高さ１５８ｍｍのＵ字配管に熱媒体組成物１を２０ｇ詰め、Ｕ字配管内に窒素を封入して圧力を７ＭＰａに調整した後、４２５℃で９６時間熱安定性試験を行った。試験後の熱媒体組成物１についてガスクロマトグラフィー質量分析を行い、分解率（％）、を求めた。熱交換試験における熱媒体組成物の使用量については、熱媒体組成物１の所定量を２００ｍＬ容器に投入し、窒素を封入して圧力を７ＭＰａに調整した後、４２５℃まで加温し、２００℃に温められた３００ｇのＮＥＯＳＫ―ＳＡＬＴ（綜研テクニックス社製）へ浸漬させ、ＮｅｏＳＫ―ＳＡＬＴが３００℃へ到達するのに要した量を求めた。結果を表１に示す。
熱安定性試験における熱媒体組成物１の分解率は０．２％であり、熱交換試験における熱媒体組成物１の使用量は１１０ｇであった。
【００４６】
（実施例２）
ビフェニルを４９．５質量％、ナフタレンを５０．５質量％となるように配合して熱媒体組成物２を調製した（ビフェニルとナフタレンの合計配合量１００．０質量％）。調製した熱媒体組成物２を用いた以外、実施例１と同様に試験を行なった。結果を同じく表１に示す。熱安定性試験における熱媒体組成物２の分解率は０．３であり、熱安定性に優れることがわかった。また熱交換試験における熱媒体組成物２の使用量は１２０ｇであった。
【００４７】
（実施例３）
ビフェニル、ナフタレンおよびジフェニルエーテルを、下記表１の割合（質量％）となるように配合して熱媒体組成物３を調製した（ビフェニルとナフタレンの合計配合量９３．０質量％）。調製した熱媒体組成物３を用いた以外、実施例１と同様に試験を行なった。結果を同じく表１に示す。熱安定性試験における熱媒体組成物３の分解率は０．２であり、熱安定性に優れることがわかった。また熱交換試験における熱媒体組成物１の使用量は１２４ｇであった。ジフェニレンオキサイドは、４００℃以上の高温では分解して分解フェノールを生成するおそれがあるが、７．０質量％程度の配合量では、高温での安定性に問題がないことが判った。
【００４８】
（比較例１）
ビフェニル１００．０質量％の熱媒体組成物４を用いた以外、実施例１と同様に試験を行なった。結果を同じく表１に示す。熱安定性試験における熱媒体組成物４の分解率は０．２であり、また熱交換試験における熱媒体組成物４の使用量は１０８ｇであったが、凝固点が６９℃と高い。
【００４９】
（比較例２）
ナフタレン１００．０質量％の熱媒体組成物５を用いた以外、実施例１と同様に試験を行なった。結果を同じく表１に示す。熱安定性試験において、熱媒体組成物５の分解率は０．３であり、また熱交換試験における熱媒体組成物５の使用量は１２４ｇであったが、凝固点が８２℃と高い。
【００５０】
（比較例３）
ビフェニルを２６．５質量％、ジフェニルエーテルを７３．５質量％となるように配合して熱媒体組成物６を調製した。調製した熱媒体組成物６を用いた以外、実施例１と同様に試験を行なった。結果を同じく表１に示す。熱安定試験において、熱媒体組成物６の分解率は１．０％と高く、また熱交換試験における熱媒体組成物６の使用量も１４７ｇと多くなることが判った。
【００５１】
（比較例４）
ＮｅｏＳＫ−１４００が１００．０質量％の熱媒体組成物７を用いた以外、実施例１と同様に試験を行なった。結果を同じく表１に示す。熱安定性試験において、熱媒体組成物７の分解率は２．０％以上と高く、また熱交換試験における熱媒体組成物７の使用量も１３６ｇと多くなることが判った。
【００５２】
（比較例５）
バーレルサーム４００が１００．０質量％の熱媒体組成物８を用いた以外、実施例１と同様に試験を行なった。結果を同じく表１に示す。熱安定性試験において、熱媒体組成物８の分解率は２．０％以上と高く、また熱交換試験における熱媒体組成物８の使用量も１３１ｇと多くなることが判った。
【００５３】
（比較例６）
ジフェニルエタンが１００．０質量％の熱媒体組成物９を用いた以外、実施例１と同様に試験を行なった。結果を同じく表１に示す。熱安定性試験において、熱媒体組成物９の分解率は２．０％以上と高く、また熱交換試験における熱媒体組成物９の使用量も１３９ｇと多くなることが判った。
【００５４】
（比較例７）
米国特許第１８７４２５８号明細書に開示される処方、すなわち、ジフェニルエーテルを７０．０質量％、ジフェニレンオキサイドを３０．０質量％となるように配合して熱媒体組成物１０を調製した。調整した熱媒体組成物１０を用いた以外、実施例１と同様に実施した。結果を同じく表１に示す。米国特許第１８７４２５８号明細書に開示される熱媒体組成物１０は、熱交換試験における使用量が１５８ｇと多いことが判った。
【００５５】
（比較例８）
ビフェニル、ナフタレンおよびジフェニレンオキサイドを、下記表１の割合（質量％）となるように配合して熱媒体組成物１１を調製した（ビフェニルとナフタレンの合計配合量６６．９質量％）。調製した熱媒体組成物１１を用いた以外、実施例１と同様に試験を行なった。結果を同じく表１に示す。熱安定性試験において、熱媒体組成物１１は、熱交換試験における媒体使用量が１４９ｇと多くなることが判った。
【００５６】
（比較例９）
ビフェニル、ジフェニルエーテル、ジフェニレンオキサイド、およびナフタレンを、下記表１の割合（質量％）となるように配合して熱媒体組成物１２を調製した（ビフェニルとナフタレンの合計配合量４５．１質量％）。調製した熱媒体組成物１２を用いた以外、実施例１と同様に試験を行なった。結果を同じく表１に示す。熱媒体組成物１２は、熱交換試験における媒体使用量が１６４ｇと多くなることが判った。
【００５７】
（比較例１０）
ビフェニルを２６．５質量％、ｏ−トリフェニル７３．５質量％となるように配合して熱媒体組成物１３を調製した。調製した熱媒体組成物１３を用いた以外、実施例１と同様に試験を行なった。結果を同じく表１に示す。熱安定試験において、熱媒体組成物１３の分解率が１．１％と高いことが判った。
【００５８】
（比較例１１）
特開平１−２６１４９０号公報に開示される処方、すなわち、ビフェニル、ジフェニルエーテル、ｏ−トリフェニル、ｍ−トリフェニルを下記表１の割合（質量％）となるように配合して熱媒体組成物１４を調製した。調整した熱媒体組成物１４を用いた以外、実施例１と同様に実施した。結果を同じく表１に示す。熱安定試験において、熱媒体組成物１４の分解率が１．２％と高いことが判った。
【００５９】
（比較例１２）
特開平０５−００９４６５号公報に開示される処方、すなわち、ビフェニル、ジフェニルエーテル、ジフェニレンオキサイドを、下記表１の割合（質量％）となるように配合して熱媒体組成物１５を調製した。調製した熱媒体組成物１５を用いた以外、実施例１と同様に実施した。結果を同じく表１に示す。熱安定性試験において、特開平０５−００９４６５号公報に開示される熱媒体組成物１５の分解率は１．０％と高く、また熱交換試験における熱媒体組成物１５の使用量も１６５ｇと多くなることが判った。
【００６０】
（比較例１３）
特開平０１−２６１４９０号公報に開示される処方、すなわち、ビフェニル、ナフタレン、ｏ−トリフェニル、ｍ−トリフェニルを下記表１の割合（質量％）となるように配合して熱媒体組成物１６を調製した（ビフェニルとナフタレンの合計配合量４０．０質量％）。調製した熱媒体組成物１６を用いた以外、実施例１と同様に実施した。結果を同じく表１に示す。特開平０１−２６１４９０号公報に開示される熱媒体組成物１６は、熱安定性試験後の分解率が高いことが判った。
【００６１】
【表１】
2015218313.tif 000002
【産業上の利用可能性】
【００６２】
本発明の熱媒体組成物は、従来の有機熱媒体より高温下で連続使用ができるため、高温発熱反応の除熱用や蓄熱体、太陽熱発電などに適している。また、本発明の熱媒体組成物は、比熱が大きく、熱媒体の使用量を低減できるため、蓄熱槽を有する太陽熱発電装置などに有用である。本発明の熱媒体組成物を前記分野に使用することにより、長寿命化や発電効率の向上が可能になり、ランニングコストを低下できる。また初期投資額も低減できる。